(57)【特許請求の範囲】
【請求項１】
立ち上がり管（１）と、鍔付ソケット（２）と、桝底板（３）とからなり、前記立ち上がり管（１）の下部側壁には接続孔（１１）が穿設され、該接続孔（１１）を囲繞して管外壁面に鍔付ソケット（２）の鍔部（２１）が接着接続され、また前記桝底板（３）は円盤状の底壁（３１）の周縁から垂下した円筒部（３２）を有すると共に、該円筒部（３２）の外周側には前記立ち上がり管（２）の下端部が嵌入接着される環状溝（３４）と、立ち上がり管（２）の下部外壁面に接着接合された鍔付ソケット（２）の鍔部（２１）の下端部が嵌入接着される円弧状の隙間（３５）を形成する円筒状の支持体（３３）が設けられていることを特徴とする排水桝。
【請求項２】
前記鍔付ソケット（２）の鍔部（２１）の背面に鉤状の係止突起（２３）が設けられており、該係止突起（２３）と鍔部（２１）との間に立ち上がり管（１）の内外壁が挟持されることを特徴とする請求項１記載の排水桝。
【請求項３】
前記鍔付ソケット（２）の鍔部（２１）の背面に貫通孔（２０）の周縁下部に沿って円弧状の連結突起（２４）が設けられており、該連結突起（２４）の先端が立ち上がり管（１）の内壁面より若干突出し、その先端下面に設けられた面取り状の傾斜面が桝底板（３）のインバート面と接着接合されることを特徴とする請求項１記載の排水桝。
【発明の詳細な説明】
【０００１】
【発明の属する技術分野】
本発明は、傾斜地あるいは雛段状の造成地等に排水管を接続する際に好適に使用できる排水桝に関する。
【０００２】
【従来の技術】
実開平６ー４３４８５号には、傾斜地あるいは雛段状の造成地等に排水管を接続する際に使用できる排水桝が開示されている。この排水桝は、図４に部分切断断面図で示した如く、立ち上がり管１ａの下部側壁に流出管２ａが溶接され、また立ち上がり管１ａの下端側に凹状弯曲面をもった上げ底３ａが溶接等によって取り付けられると共に、上げ底３ａと底板３ｂとで形成された上げ底空間に砂や発泡ウレタン等の充填材Ｘが充填されるものである。
【０００３】
【発明が解決しようとする課題】
ところが、この従来の排水桝は部品相互の取り付け位置が明確に設定されていないため、立ち上がり管１ａに流出管２ａや上げ底３ａを溶接等する際に接続作業に手間がかかるだけでなく、強固に接合されないため長期使用によって部品相互が分離して破損する危険性がある。
【０００４】
本発明はかかる課題を解決したものであって、排水桝を３部品で構成して部品相互を簡単かつ確実に固定できると共に、長期使用によっても部品相互が分離して破損する危険性がない排水桝を提供するものである。
【０００５】
【課題を解決するための手段】
本発明の排水桝は、立ち上がり管と、鍔付ソケットと、桝底板とからなり、前記立ち上がり管の下部側壁には接続孔が穿設され、該接続孔を囲繞して管外壁面に鍔付ソケットの鍔部が接着接続され、また前記桝底板は円盤状の底壁の周縁から垂下した円筒部を有すると共に、該円筒部の外周側には前記立ち上がり管の下端部が嵌入接着される環状溝と、立ち上がり管の下部外壁面に接着接合された鍔付ソケットの鍔部が嵌入接着される円弧状の隙間を形成する円筒状の支持体が設けられていることを特徴とする。
【０００６】
【発明の実施の形態】
以下、本発明の実施の形態を図面にて詳細に説明する。
図１は本発明の排水桝の展開状態を示す斜視図、図２は鍔付ソケットの背面図、図３は本発明の排水桝を現場に設置した状態を示す断面図であって、図中の符号１は立ち上がり管、２は鍔付ソケット、３は桝底板である。
【０００７】
立ち上がり管１は塩ビ管等の合成樹脂管を所定長さに切断したものであって、該立ち上がり管１の下部側壁には接続孔１１が穿設されており、該接続孔１１の上縁に半円弧状の切り欠き部１２が設けられている。
【０００８】
鍔付ソケット２は円弧状に弯曲した鍔部２１の凸面側に支管２２を突設したものであって、鍔部２１には支管２２と連通する貫通孔２０が設けられている。鍔部２１の背面（凹面側）には、貫通孔２０の周縁の上部に係止突起２３と、下部に連結突起２４とが設けられている。
【０００９】
係止突起２３の先端部は上方に折れ曲がって鉤状となっており、該係止突起２３を立ち上がり管１の接続孔１１及び切り欠き部１２を潜らせて嵌入したとき、立ち上がり管１の内壁面と係合するようになっている。また、連結突起２４は貫通孔２０の周縁に沿って円弧状に形成されており、立ち上がり管１の接続孔１１に嵌入できるようになっている。このとき、連結突起２４の先端が立ち上がり管１の内壁面より若干突出し、その先端下面に設けられた面取り状の傾斜面が後述する桝底板３のインバート面と隙間なく擦り合わせ接合できるようになっている。
【００１０】
一方、桝底板３は塩ビ樹脂を射出して一体成形したものであって、円盤状の底壁３１の周縁から垂下する円筒部３２が設けられており、該円筒部３２の下端縁に水平方向に突出するフランジ３６が設けられている。フランジ３６の上面には円筒状の支持体３３が設けられており、該支持体３３と前記円筒部３２との間に立ち上がり管１の下端部が嵌入される環状溝３４と、立ち上がり管１の下部外壁面に接着接合された鍔付ソケット２の鍔部２１の下端部が嵌入される円弧状の隙間３５が形成されている。
【００１１】
また、前記桝底板３の底壁３１の上面は周縁部から中央部に向かってすり鉢状に傾斜しており、最も低くなった中央部から前記円弧状の隙間３５の中心に向かって下り勾配で傾斜したインバート３１０が形成されている。インバート３１０は断面円弧状に形成され、その終端縁に傾斜面３１１が設けられている。この傾斜面３１１に前述した鍔付ソケット２の連結突起２４の先端下面に設けられた傾斜面が接着剤を介して擦り合わせ接合できるようになっている。
【００１２】
本発明の排水桝は前述した立ち上がり管１、鍔付きソケット２、桝底板３からなるものであり、これら部品は次のようにして組み付けられる。まず、立ち上がり管１の下部側壁に穿設された接続孔１１を囲繞する管外壁面と、鍔付ソケット２の鍔部２１の背面に接着剤を塗布する。そこで、鍔付ソケット２の係止突起２３を立ち上がり管１の接続孔１１及び切り欠き部１２に潜らせてから、鍔部２１の背面を立ち上がり管１の外壁面に押し当てて接着接合する。
【００１３】
次に、立ち上がり管１の下端部の内外周面と鍔付ソケット２の鍔部２１の下端部外面に接着剤を塗布し、桝底板３の円筒部３２と支持体３３との間に立ち上がり管１の下端部を押し込む。すると、立ち上がり管１の下端部が桝底板３の環状溝３４に嵌入されて強固に接着接合され、これと同時に円弧状の隙間３５に嵌入された鍔付ソケット２の鍔部２１の下端部が支持体３３と接着接合する。この接続状態では、鍔付ソケット２の鍔部２１の下端部が支持体３３で覆われ、また鍔部２１の背面に設けた係止突起２３が立ち上がり管１の内壁面と係合している。即ち、係止突起２３と鍔部２１との間に立ち上がり管１の内外壁が挟持されているため、鍔付ソケット２の支管２２に上方から土圧等が作用しても立ち上がり管１の外壁面から鍔部２１が剥離することもない。
【００１４】
前述した部品相互の組付け作業は通常生産工場で行なわれるが、組付け作業が容易であることから配管の施工現場で行なうこともできる。この様にして組付けた排水桝は図３に示した如く、地面を掘り起こして形成した掘削溝内に設置される。このとき、流入管４が接続される立ち上がり管１の適所に接続孔を穿設してから鍔付ソケット５を接着接合し、該鍔付ソケット５にシールリングを介して流入管４を伸縮自在に接続する。
【００１５】
また、立ち上がり管１に接続された鍔付ソケット２の支管２２を流出管６の受口に挿入し、シールリングを介して伸縮自在に接続する。最期に、立ち上がり管１の上端に蓋受け枠７を装着し、該蓋受け枠７に蓋体８を着脱自在に装着してから掘り起こした土砂等の埋め戻して施工作業が完了する。
【００１６】
【発明の効果】
以上詳述した如く、本発明の排水桝は立ち上がり管と、鍔付ソケットと、桝底板とからなるものであって、部品相互を簡単かつ確実に組み付けて強固に固定することができる。また、施工後に地震等による地盤変動が生じても部品相互が分離して破損することもなく、長期に亘って安定した状態で水密性が確保される。
【００１７】
また、鍔付ソケットの鍔部の背面に鉤状の係止突起が設けられていると、該係止突起と鍔部との間に立ち上がり管の内外壁が挟持されるため、立ち上がり管と鍔付ソケットとが強固に接着接合され、鍔付ソケットの支管に上方から土圧等が作用しても立ち上がり管の外壁面から鍔部が剥離することもない。
【００１８】
更に、鍔付ソケットの鍔部の背面に連結突起とが設けられていると、該連結突起の先端下面に設けられた面取り状の傾斜面が桝底板のインバート面と接着剤を介して隙間なく接着接合される。
【図面の簡単な説明】
【図１】図１は本発明の排水桝の展開状態を示す斜視図である。
【図２】図２は鍔付ソケットの背面図である。
【図３】図３は本発明の排水桝を現場に設置した状態を示す断面図である。
【図４】図４は従来の排水桝を示す部分切断断面図である。
【符号の説明】
１  立ち上がり管
１１    接続孔
２    鍔付ソケット
２１    鍔部
３    桝底板
３１    底壁
３２    円筒部
３３    支持体
【図１】
0003722623.tif 000002
【図２】
0003722623.tif 000003
【図３】
0003722623.tif 000004
【図４】
0003722623.tif 000005